【手続補正書】
【提出日】平成18年11月14日(2006.11.14)
【手続補正１】
【補正対象書類名】明細書
【補正対象項目名】特許請求の範囲
【補正方法】変更
【補正の内容】
【特許請求の範囲】
【請求項１】  メンテナンス機能を有する記録装置であって、
装置内のメンテナンスの実行タイミングを検出する検出手段と、
前記検出手段の検出結果に基づいて、前記メンテナンスの実行を要求する第１コマンドを外部機器へ送信する送信手段と、
前記第１コマンドに対する前記メンテナンスの実行を指示する第２コマンドを受信する受信手段と、
前記受信手段で前記第２コマンドを受信した場合、実行対象のメンテナンスを実行する実行手段と
を備えることを特徴とする記録装置。
【請求項２】  前記検出手段で前記メンテナンスの実行タイミングが検出された場合、該メンテナンスの種類を示すフラグを保持する保持手段とを更に備え、
前記実行手段は、前記受信手段で前記第２コマンドを受信した場合、前記実行対象のメンテナンスとして、前記保持手段に保持されているフラグに対応するメンテナンスを実行する
ことを特徴とする請求項１に記載の記録装置。
【請求項３】  メンテナンス機能を有する記録装置を制御する情報処理装置であって、
前記記録装置からメンテナンスの実行を要求する第１コマンドを受信する受信手段と、
前記第１コマンドを受信した場合、前記メンテナンスの実行の可否を判定する判定手段と、
前記判定手段の判定結果に基づいて、前記メンテナンスの実行を指示する第２コマンドを前記記録装置へ送信する送信手段と
を備えることを特徴とする情報処理装置。
【請求項４】  メンテナンス機能を有する記録装置と、該記録装置を制御する外部機器を有する記録システムであって、
前記記録装置は、
装置内のメンテナンスの実行タイミングを検出する検出手段と、
前記検出手段の検出結果に基づいて、前記メンテナンスの実行を要求する第１コマンドを前記外部機器へ送信する第１送信手段と、
前記第１コマンドに対する前記メンテナンスの実行を指示する第２コマンドを受信する第１受信手段と、
前記第１受信手段で前記第２コマンドを受信した場合、実行対象のメンテナンスを実行する実行手段とを備え、
前記外部機器は、
前記第１コマンドを受信する第２受信手段と、
前記第１コマンドを受信した場合、前記メンテナンスの実行の可否を判定する判定手段と、
前記判定手段の判定結果に基づいて、前記第２コマンドを前記記録装置へ送信する第２送信手段と
を備えることを特徴とする記録システム。
【請求項５】  メンテナンス機能を有する記録装置であって、
装置内のメンテナンスの実行タイミングを検出する検出手段と、
前記検出手段の検出結果に基づいて、前記メンテナンスの実行を要求するためのフラグを保持する保持手段と、
当該記録装置のステータスの要求を外部機器より受信し、かつ前記保持手段に前記フラグが保持されている場合、該フラグを含むステータスを前記外部機器へ送信する送信手段と、
前記フラグに対する前記メンテナンスの実行を指示するコマンドを受信する受信手段と、
前記受信手段で前記コマンドを受信した場合、実行対象のメンテナンスを実行する実行手段と
を備えることを特徴とする記録装置。
【請求項６】  前記保持手段は、前記検出手段で前記メンテナンスの実行タイミングが検出された場合、更に、該メンテナンスの種類を示すフラグを保持するとともに、
前記実行手段は、前記受信手段で前記コマンドを受信した場合、前記実行対象のメンテナンスとして、前記保持手段に保持されているフラグに対応するメンテナンスを実行する
ことを特徴とする請求項５に記載の記録装置。
【請求項７】  前記記録装置は、インクジェット方式の記録装置であり、
前記メンテナンスは、前記記録装置が有する記録ヘッドに対するワイピング動作、予備吐動作、クリーニング動作及びキャッピング動作の任意の組み合わせを少なくとも含む
ことを特徴とする請求項１、２、５及び６のいずれか１項に記載の記録装置。
【請求項８】  メンテナンス機能を有する記録装置を制御する情報処理装置であって、
前記記録装置のステータスを要求して受信する受信手段と、
前記ステータス中にメンテナンスの実行を要求するフラグが含まれる場合、前記メンテナンスの実行の可否を判定する判定手段と、
前記判定手段の判定結果に基づいて、前記メンテナンスの実行を指示するコマンドを前記記録装置へ送信する送信手段と
を備えることを特徴とする情報処理装置。
【請求項９】  メンテナンス機能を有する記録装置と、該記録装置を制御する外部機器を有する記録システムであって、
前記記録装置は、
装置内のメンテナンスの実行タイミングを検出する検出手段と、
前記検出手段の検出結果に基づいて、前記メンテナンスの実行を要求するためのフラグを保持する保持手段と、
当該記録装置のステータスの要求を前記外部機器より受信し、かつ前記保持手段に前記フラグが保持されている場合、該フラグを含むステータスを前記外部機器へ送信する第１送信手段と、
前記フラグに対する前記メンテナンスの実行を指示するコマンドを受信する第１受信手段と、
前記第１受信手段で前記コマンドを受信した場合、実行対象のメンテナンスを実行する実行手段とを備え、
前記外部機器は、
前記ステータスを要求して受信する第２受信手段と、
前記ステータス中に前記フラグが含まれる場合、前記メンテナンスの実行の可否を判定する判定手段と、
前記判定手段の判定結果に基づいて、前記メンテナンスの実行を指示するコマンドを前記記録装置へ送信する第２送信手段と
を備えることを特徴とする記録システム。
【請求項１０】  メンテナンス機能を有する記録装置の制御方法であって、
検出手段が、前記記録装置内のメンテナンスの実行タイミングを検出する検出工程と、
送信手段が、前記検出工程の検出結果に基づいて、前記メンテナンスの実行を要求する第１コマンドを外部機器へ送信する送信工程と、
受信手段が、前記第１コマンドに対する前記メンテナンスの実行を指示する第２コマンドを受信する受信工程と、
実行手段が、前記受信工程で前記第２コマンドを受信した場合、実行対象のメンテナンスを実行する実行工程と
を備えることを特徴とする記録装置の制御方法。
【請求項１１】  前記検出工程は、前記メンテナンスの実行タイミングが検出された場合、該メンテナンスの種類を示すフラグを記憶媒体に保持する保持工程とを含み、
前記実行工程は、前記受信工程で前記第２コマンドを受信した場合、前記実行対象のメンテナンスとして、前記記憶媒体に保持されているフラグに対応するメンテナンスを実行する
ことを特徴とする請求項１０に記載の記録装置の制御方法。
【請求項１２】  メンテナンス機能を有する記録装置を制御する情報処理装置であって、前記記録装置からコマンドを受信する受信手段と、前記記録装置に対してコマンドを送信する送信手段とを備える情報処理装置の制御方法において、
前記記録装置からメンテナンスの実行を要求する第１コマンドを前記受信手段により受信する受信工程と、
前記第１コマンドを受信した場合、前記メンテナンスの実行の可否を判定する判定工程と、
前記判定工程の判定結果に基づいて、前記メンテナンスの実行を指示する第２コマンドを前記送信手段により前記記録装置へ送信する送信工程と
を備えることを特徴とする情報処理装置の制御方法。
【請求項１３】  メンテナンス機能を有する記録装置の制御方法であって、
前記記録装置内のメンテナンスの実行タイミングを前記記録装置の検出手段により検出する検出工程と、
前記検出工程の検出結果に基づいて、前記メンテナンスの実行を要求するためのフラグを、前記記録装置の記憶媒体に保持する保持工程と、
外部機器から当該記録装置のステータスの要求を受信手段により受信し、かつ前記記憶媒体に前記フラグが保持されている場合、該フラグを含むステータスを送信手段により前記外部機器へ送信する送信工程と、
前記フラグに対する前記メンテナンスの実行を指示するコマンドを前記受信手段により受信する受信工程と、
前記受信工程で前記コマンドを受信した場合、実行対象のメンテナンスを前記記録装置により実行する実行工程と
を備えることを特徴とする記録装置の制御方法。
【請求項１４】  前記保持工程は、前記検出工程で前記メンテナンスの実行タイミングが検出された場合、更に、該メンテナンスの種類を示すフラグを前記記憶媒体に保持し、
前記実行工程は、前記受信工程で前記コマンドを受信した場合、前記実行対象のメンテナンスとして、前記記憶媒体に保持されているフラグに対応するメンテナンスを実行する
ことを特徴とする請求項１３に記載の記録装置の制御方法。
【請求項１５】  前記記録装置は、インクジェット方式の記録装置であり、
前記メンテナンスは、前記記録装置が有する記録ヘッドに対するワイピング動作、予備吐動作、クリーニング動作及びキャッピング動作の任意の組み合わせを少なくとも含む
ことを特徴とする請求項１０、１１、１３及び１４のいずれか１項に記載の記録装置の制御方法。
【請求項１６】  メンテナンス機能を有する記録装置を制御する情報処理装置であって、前記記録装置からコマンドを受信する受信手段と、前記記録装置に対してコマンドを送信する送信手段とを備える情報処理装置の制御方法において、
前記記録装置へ要求したステータスを前記記録装置から前記受信手段により受信する受信工程と、
前記ステータス中にメンテナンスの実行を要求するフラグが含まれる場合、前記メンテナンスの実行の可否を判定する判定工程と、
前記判定工程の判定結果に基づいて、前記メンテナンスの実行を指示するコマンドを前記送信手段により前記記録装置へ送信する送信工程と
を備えることを特徴とする情報処理装置の制御方法。
【請求項１７】  メンテナンス機能を有する記録装置の制御をコンピュータに機能させるためのプログラムであって、
前記記録装置内のメンテナンスの実行タイミングを検出する検出工程と、
前記検出工程の検出結果に基づいて、前記メンテナンスの実行を要求する第１コマンドを外部機器へ送信する送信工程と、
前記第１コマンドに対する前記メンテナンスの実行を指示する第２コマンドを受信する受信工程と、
前記受信工程で前記第２コマンドを受信した場合、実行対象のメンテナンスを実行する実行工程と
をコンピュータに機能させるためのプログラム。
【請求項１８】  メンテナンス機能を有する記録装置を制御する情報処理装置の制御をコンピュータに機能させるためのプログラムであって、
前記記録装置からメンテナンスの実行を要求する第１コマンドを受信する受信工程と、
前記第１コマンドを受信した場合、前記メンテナンスの実行の可否を判定する判定工程と、
前記判定工程の判定結果に基づいて、前記メンテナンスの実行を指示する第２コマンドを前記記録装置へ送信する送信工程と
をコンピュータに機能させるためのプログラム。
【請求項１９】  メンテナンス機能を有する記録装置の制御をコンピュータに機能させるためのプログラムであって、
前記記録装置内のメンテナンスの実行タイミングを検出する検出工程と、
前記検出工程の検出結果に基づいて、前記メンテナンスの実行を要求するためのフラグを記憶媒体に保持する保持工程と、
当該記録装置のステータスの要求を外部機器より受信し、かつ前記保持工程に前記フラグが保持されている場合、該フラグを含むステータスを前記外部機器へ送信する送信工程と、
前記フラグに対する前記メンテナンスの実行を指示するコマンドを受信する受信工程と、
前記受信工程で前記コマンドを受信した場合、実行対象のメンテナンスを実行する実行工程と
をコンピュータに機能させるためのプログラム。
【請求項２０】  メンテナンス機能を有する記録装置を制御する情報処理装置の制御をコンピュータに機能させるためのプログラムであって、
前記記録装置のステータスを要求して受信する受信工程と、
前記ステータス中にメンテナンスの実行を要求するフラグが含まれる場合、前記メンテナンスの実行の可否を判定する判定工程と、
前記判定工程の判定結果に基づいて、前記メンテナンスの実行を指示するコマンドを前記記録装置へ送信する送信工程と
をコンピュータに機能させるためのプログラム。